(57)【要約】【課題】  簡単な構造で梱包箱内の電子機器が不測に動かないように確実に支持する。【解決手段】  取付パッド２の上板２Ａに複数の切れ目を入れることにより前後左右４枚の支持板４Ａ〜４Ｄが切り出されると共に、該各支持板４Ａ〜４Ｄの先端部４ａに対向して下板２Ｂに嵌入孔５Ａ〜５Ｄが貫設されており、支持板４Ａ〜４Ｄを下側に折り曲げて該各支持板４Ａ〜４Ｄの先端部４ａを各嵌入孔５Ａ〜５Ｄに嵌入させ、該各嵌入孔５Ａ〜５Ｄの外側縁５ａに各支持板４Ａ〜４Ｄの先端部４ａを当接させることにより、その各支持板４Ａ〜４Ｄと取付パッド２の下板２Ｂとで囲まれた凹部６に電子機器１を収納し、その取付パッド２を梱包箱内に挿入し、該梱包箱のフラップで凹部６の上面を覆うようにした電子機器梱包装置において、凹部６の深さｈ１が電子機器１の高さｈ２よりも小さく設定されており、凹部６に収納した電子機器１の側面に上板２Ａの内周縁を対向させた。【選択図】        図２
2009120206.tif 000002
【特許請求の範囲】
【請求項１】
互いに所定間隔をおいて平行する上下両板と、該上下両板の両側縁をつなぐ側板とで縦
断面略ロ字状に形成された段ボール製取付パッドを有し、前記上板に複数の切れ目を入れ
ることにより前後左右４枚の支持板が切り出されると共に、該各支持板の先端部に対向し
て前記下板に嵌入孔が貫設されており、前記各支持板を下側に折り曲げて該各支持板の先
端部を各嵌入孔に嵌入させ、該各嵌入孔の外側縁に各支持板の先端部を当接させることに
より、その各支持板と下板とで囲まれた凹部が前記上板の中央に形成され、その凹部に電
子機器を収納した取付パッドを段ボール製梱包箱内に挿入し、該梱包箱のフラップで凹部
の上面を覆うようにした電子機器梱包装置において、前記凹部の深さが電子機器の高さよ
りも小さく設定されており、凹部に収納した電子機器の側面に上板の内周縁を対向させる
ようにしたことを特徴とする電子機器梱包装置。
【請求項２】
前記各支持板のうち、その全部またはその一部の支持板の根元部に略コ字状の切れ目を
入れて支え片が形成されており、各支持板の下側への折り曲げに連動して支え片を上側に
突出させた状態で、その支え片の先端から凹部の底面までの間隔が電子機器の高さと同一
またはわずかに大きく設定されていることを特徴とする請求項１に記載の電子機器梱包装
置。
【請求項３】
前記各嵌入孔のうち、その全部またはその一部の嵌入孔の外側縁に一体形成した舌片が
上側または下側に折り曲げられており、その舌片に支持板を当接させるようにしたことを
特徴とする請求項１または２に記載の電子機器梱包装置。
【請求項４】
互いに所定間隔をおいて平行する上下両板と、該上下両板の両側縁をつなぐ側板とで縦
断面略ロ字状に形成された段ボール製取付パッドを有し、前記上板に複数の切れ目を入れ
ることにより前後左右４枚の支持板が切り出されると共に、該各支持板の先端部に対向し
て前記下板に嵌入孔が貫設されており、前記各支持板を下側に折り曲げて該各支持板の先
端部を各嵌入孔に嵌入させ、該各嵌入孔の外側縁に各支持板の先端部を当接させることに
より、その各支持板と下板とで囲まれた凹部が前記上板の中央に形成され、その凹部に電
子機器を収納した取付パッドを段ボール製梱包箱内に挿入し、該梱包箱のフラップで凹部
の上面を覆うようにした電子機器梱包装置において、前記凹部の深さが電子機器の高さよ
りも小さく設定されることにより、凹部に収納した電子機器の側面に上板の内周縁を対向
させ、前記各支持板のうち、その全部またはその一部の支持板の根元部に略コ字状の切れ
目を入れて支え片が形成され、その各支持板の下側への折り曲げに連動して支え片を上側
に突出させた状態で、その支え片の先端から凹部の底面までの間隔が電子機器の高さと同
一またはわずかに大きく設定され、前記各嵌入孔のうち、その全部またはその一部の嵌入
孔の外側縁に一体形成した舌片が上側または下側に折り曲げられ、その舌片に支持板を当
接させるようにしたことを特徴とする電子機器梱包装置。
【発明の詳細な説明】
【技術分野】
【０００１】
本発明は、例えばポータブルナビゲータなどの電子機器を梱包するための電子機器梱包
装置に関し、特に、簡単な構造で梱包箱内の電子機器が不測に動かないように確実に支持
することができるようにしたものである。
【背景技術】
【０００２】
従来、電子機器梱包装置の一例として図８〜図１２に示すものがあり、図８は同梱包前
状態の斜視図、図９は同梱包途中状態を示す斜視図、図１０は同梱包状態の横断面図、図
１１は同梱包状態の縦断面図、図１２（ａ）（ｂ）は同梱包による支持状態を示す要部の
拡大横断面図である。
【０００３】
図８〜図１１に示すように、この電子機器梱包装置はポータブルナビゲータからなる電
子機器１を段ボール製取付パッド２と段ボール製梱包箱３とで梱包するものである。
【０００４】
図８、図１０及び図１１に示すように、前記取付パッド２は、互いに所定間隔をおいて
平行する平面視矩形状の上下両板２Ａ，２Ｂと、該上下両板２Ａ，２Ｂの両側縁をつなぐ
複数の側板２Ｃ，２Ｄ，２Ｅとで横断面略ロ字状に形成されており、前記上板２Ａに複数
の切れ目を入れることにより前後左右４枚の支持板４Ａ〜４Ｄが切り出され、該各支持板
４Ａ〜４Ｄが略三角形状に形成されてその先端に長方形状の先端部４ａが一体突設され、
該各先端部４ａに対向して前記下板２Ｂに長方形状の嵌入孔５Ａ〜５Ｄが貫設されており
、各支持板４Ａ〜４Ｄを下側に直角に折り曲げて該各支持板４Ａ〜４Ｄの先端部４ａを各
嵌入孔５Ａ〜５Ｄに嵌入させ、該各嵌入孔５Ａ〜５Ｄの外側縁５ａに各支持板４Ａ〜４Ｄ
の先端部４ａを当接させることにより、その各支持板４Ａ〜４Ｄと下板２Ｂとで囲まれた
四角升状の凹部６が上板２Ａの中央に形成され、その凹部６に電子機器１を収納する。
【０００５】
図９〜図１１に示すように、前記梱包箱３は、段ボールを折り曲げて形成した箱本体３
Ａと、該箱本体３Ａに回動可能に一体突設したフラップ３Ｂとを有し、該フラップ３Ｂの
外周縁に嵌合片３ａ〜３ｅが一体突設され、箱本体３Ａ内の下方四隅に該箱本体３Ａの側
板から折り曲げたスペース板３ｆが配置されており、図１０及び図１１に示すように、取
付パッド２を箱本体３Ａ内に挿入して各スペース板３ｆ上に載置し、フラップ３Ｂを下動
させて、各嵌合片３ａ〜３ｅを箱本体３Ａに嵌合させることにより、そのフラップ３Ｂで
凹部６の上面を覆う。図１０中、７は箱本体３Ａ内の下方に形成した付属品収納空間であ
る。
【０００６】
図１０に示すように、落下試験では、梱包箱３に対して水平方向Ｘ−Ｘ及び垂直方向Ｙ
−Ｙの衝撃力Ｆ（図１２参照）を付与し、その水平方向Ｘ−Ｘの衝撃力Ｆは各支持板４Ａ
〜４Ｄで受け、その垂直方向Ｙ−Ｙの衝撃力Ｆはフラップ３Ｂと下板２Ｂとで受けること
により、凹部６に収納した電子機器１の支持状態を検査する。なお、関連する技術として
特許文献１に記載したものがある。
【特許文献１】特開２００７−２１０６６５号公報
【発明の開示】
【発明が解決しようとする課題】
【０００７】
上記従来の構成では、図１２（ａ）に示すように、凹部６の深さｈ１が電子機器１の高
さｈ２よりも大きく設定されており、電子機器１にかかる水平方向Ｘ−Ｘの衝撃力Ｆを各
支持板４Ａ〜４Ｄで受ける構造になっているが、その各支持板４Ａ〜４Ｄが段ボールで形
成されていて厚み方向（Ｘ−Ｘ）の強度が小さいため、図１２（ｂ）に示すように、水平
方向Ｘ−Ｘの衝撃力Ｆを受けた支持板４Ａ〜４Ｄが曲がったり、該各支持板４Ａ〜４Ｄの
先端部４ａが各嵌入孔５Ａ〜５Ｄから外れることがあり、これでは電子機器１が梱包箱３
内で不測に動いて損傷されるおそれがある。
【０００８】
そこで、特許文献１などに記載しているように、取付パッド２を複雑で強固な構造にす
ることにより、電子機器１を確実に梱包することが考えられるが、これでは、取付パッド
２を複雑な構造にした分だけ製作費が高くつくと共に、その取付パッド２の組立に手間と
時間とがかかり、しかも、取付パッド２に対する電子機器１の着脱も面倒であり、作業能
率が低い。
【０００９】
本発明は、上記従来の欠点に鑑み、簡単な構造で梱包箱内の電子機器が不測に動かない
ように確実に支持することができるようにした電子機器梱包装置を提供することを目的と
している。
【課題を解決するための手段】
【００１０】
上記目的を達成するため、請求項１に記載の発明は、互いに所定間隔をおいて平行する
上下両板と、該上下両板の両側縁をつなぐ側板とで縦断面略ロ字状に形成された段ボール
製取付パッドを有し、前記上板に複数の切れ目を入れることにより前後左右４枚の支持板
が切り出されると共に、該各支持板の先端部に対向して前記下板に嵌入孔が貫設されてお
り、前記各支持板を下側に折り曲げて該各支持板の先端部を各嵌入孔に嵌入させ、該各嵌
入孔の外側縁に各支持板の先端部を当接させることにより、その各支持板と下板とで囲ま
れた凹部が前記上板の中央に形成され、その凹部に電子機器を収納した取付パッドを段ボ
ール製梱包箱内に挿入し、該梱包箱のフラップで凹部の上面を覆うようにした電子機器梱
包装置において、前記凹部の深さが電子機器の高さよりも小さく設定されており、凹部に
収納した電子機器の側面に上板の内周縁を対向させるようにしたことを特徴としている。
【００１１】
請求項２に記載の発明は、請求項１に記載の発明において、前記各支持板のうち、その
全部またはその一部の支持板の根元部に略コ字状の切れ目を入れて支え片が形成されてお
り、各支持板の下側への折り曲げに連動して支え片を上側に突出させた状態で、その支え
片の先端から凹部の底面までの間隔が電子機器の高さと同一またはわずかに大きく設定さ
れていることを特徴としている。
【００１２】
請求項３記載の発明は、請求項１または２に記載の発明において、前記各嵌入孔のうち
、その全部またはその一部の嵌入孔の外側縁に一体形成した舌片が上側または下側に折り
曲げられており、その舌片に支持板を当接させるようにしたことを特徴としている。
【００１３】
請求項４に記載の発明は、互いに所定間隔をおいて平行する上下両板と、該上下両板の
両側縁をつなぐ側板とで縦断面略ロ字状に形成された段ボール製取付パッドを有し、前記
上板に複数の切れ目を入れることにより前後左右４枚の支持板が切り出されると共に、該
各支持板の先端部に対向して前記下板に嵌入孔が貫設されており、前記各支持板を下側に
折り曲げて該各支持板の先端部を各嵌入孔に嵌入させ、該各嵌入孔の外側縁に各支持板の
先端部を当接させることにより、その各支持板と下板とで囲まれた凹部が前記上板の中央
に形成され、その凹部に電子機器を収納した取付パッドを段ボール製梱包箱内に挿入し、
該梱包箱のフラップで凹部の上面を覆うようにした電子機器梱包装置において、前記凹部
の深さが電子機器の高さよりも小さく設定されることにより、凹部に収納した電子機器の
側面に上板の内周縁を対向させ、前記各支持板のうち、その全部またはその一部の支持板
の根元部に略コ字状の切れ目を入れて支え片が形成され、その各支持板の下側への折り曲
げに連動して支え片を上側に突出させた状態で、その支え片の先端から凹部の底面までの
間隔が電子機器の高さと同一またはわずかに大きく設定され、前記各嵌入孔のうち、その
全部またはその一部の嵌入孔の外側縁に一体形成した舌片が上側または下側に折り曲げら
れ、その舌片に支持板を当接させるようにしたことを特徴としている。
【発明の効果】
【００１４】
請求項１に記載の発明によれば、上板の内周縁で各支持板を介して電子機器にかかる水
平方向の衝撃力を受けるようになっており、その上板の水平方向に沿う強度が大きいから
、その水平方向にかかる衝撃力で従来のように各支持板が曲げられることがなく、取付パ
ッドにより梱包箱内の電子機器が不測に動かないように確実に支持することができる。
【００１５】
また、凹部の深さが電子機器の高さよりも小さく設定されているだけで、それ以外の構
造は従来と基本的に同じであるから、製作費が安くつくと共に、取付パッドの組立に手間
と時間とがかからず、凹部６に対する電子機器の着脱も容易で、作業性に優れている。
【００１６】
請求項２に記載の発明によれば、フラップに外方から衝撃などの負荷がかかったとして
も、その負荷を支え片で受け止めて電子機器が損傷されないようにすることができる。
【００１７】
請求項３に記載の発明によれば、舌片で嵌入孔が変形されないように補強することがで
きると共に、該舌片に支持板を当接させることにより、その支持板が嵌入孔から不測に外
れないようにすることができる。
【００１８】
請求項４に記載の発明はの実施の一形態（図１〜図７）に対応するものであって、これ
によれば、請求項１〜３に記載の発明と同等の効果を得ることができる。
【発明を実施するための最良の形態】
【００１９】
図１〜図７は本発明の実施の一形態である電子機器梱包装置を示すものであり、図１は
同梱包前状態の斜視図、図２（ａ）は同取付パッドの平面図、図２（ｂ）はＡ−Ａ線に沿
う横断面図、図２（ｃ）はＢ−Ｂ線に沿う縦断面図、図３は同取付パッドの展開図、図４
は同梱包状態の横断面図、図５は同梱包状態の縦断面図、図６は同梱包による支持状態を
示す要部の拡大横断面図、図７は同取付パッドの変形例を示す斜視図である。
【００２０】
図１〜図６に示すように、取付パッド２の凹部６の深さｈ１が電子機器１の高さｈ２よ
りも小さく設定されることにより、凹部６に収納した電子機器１の側面に上板２Ａの内周
縁を対向させている。なお、図３中、８ａは側板２Ｃに突設した係止片であって、該係止
片８ａを側板２Ｅに形成した切れ目８ｂに差し込むことにより、取付パッド２を横断面略
ロ字状に組み立てることができる。上記以外の構成で図８〜図１２に示す構成と同一部分
に同一符号を付してその説明を省略する。
【００２１】
上記構成によれば、図６に示すように、電子機器１にかかる水平方向Ｘ−Ｘの衝撃力Ｆ
を各支持板４Ａ〜４Ｄを介して上板２Ａの内周縁で受けるようになっており、その上板２
Ａの水平方向Ｘ−Ｘに沿う強度が大きいから、その水平方向Ｘ−Ｘにかかる衝撃力Ｆで従
来のように各支持板４Ａ〜４Ｄが曲げられることがなく、取付パッド２により梱包箱３内
の電子機器１が不測に動かないように確実に支持することができる。
【００２２】
また、凹部６の深さｈ１が電子機器１の高さｈ２よりも小さく設定されているだけで、
それ以外の構造は従来と基本的に同じであるから、製作費が安くつくと共に、取付パッド
２の組立に手間と時間とがかからず、凹部６に対する電子機器１の着脱も簡単で、作業性
に優れている。
【００２３】
図２及び図３に示すように、前記各支持板４Ａ〜４Ｄのうち、左右両支持板４Ｂ，４Ｄ
の根元部に略コ字状の切れ目を入れて所定幅ｈ３の支え片９が形成されており、その左右
両支持板４Ｂ，４Ｄの下側への折り曲げに連動して各支え片９を上側に突出させた状態で
、その各支え片９の先端から凹部６の底面までの間隔ｈ４が電子機器１の高さｈ２と同一
またはわずかに大きく設定されている。
【００２４】
上記構成によれば、図４に示すように、フラップ３Ｂに垂直方向Ｙ−Ｙに沿って外方か
ら衝撃などの負荷Ｍがかかったとしても、その負荷Ｍを両支え片９で受け止めて凹部６内
の電子機器１が損傷されないようにすることができる。
【００２５】
図２及び図３に示すように、残りの前後両支持板４Ａ，４Ｃの根元部から上板２Ａにか
けて円形の指部挿入口１０が形成されており、その両指部挿入口１０に指部を入れて凹部
６に対する電子機器１の着脱を容易に行なうことができる。
【００２６】
図２及び図３に示すように、各嵌入孔５Ａ〜５Ｄのうち、その１つの嵌入孔５Ｂはロ字
状の切れ目を入れて形成し、残りの各嵌入孔５Ａ，５Ｃ，５Ｄはコ字状の切れ目を入れて
形成し、そのコ字状の切れ目により各嵌入孔５Ａ，５Ｃ，５Ｄの外側縁５ａに一体形成し
た舌片１１を上側または下側に直角に折り曲げ、その各舌片１１に支持板４Ａ，４Ｃ，４
Ｄを当接させている。
【００２７】
上記構成によれば、図４及び図５に示すように、舌片１１で各嵌入孔５Ａ，５Ｃ，５Ｄ
が変形されないように補強することができると共に、該舌片１１に各支持板４Ａ，４Ｃ，
４Ｄを当接させることにより、その各支持板４Ａ，４Ｃ，４Ｄが各嵌入孔５Ａ，５Ｃ，５
Ｄから不測に外れないようにすることができる。
【００２８】
上記構成では、３つの嵌入孔５Ａ，５Ｃ，５Ｄの外側縁５ａに舌片１１を一体形成した
が、これに限定されるわけではなく、嵌入孔５Ａ〜５Ｄの全部またはその２つ若しくはそ
の１つに舌片１１を一体形成するようにしてもよく、この場合、舌片１１の数が多いほど
補強と不測に外れないようにする効果が大きくなり、その舌片１１の数が少ないほど構造
が簡単になって製作しやすくなる。
【００２９】
上記の実施の形態では、左右両支持板４Ｂ，４Ｄに支え片９を形成し、前後両支持板４
Ａ，４Ｃに指部挿入口１０を形成したが、図７の変形例に示すように、その指部挿入口１
０に代えて支え片９を形成してもよく、これによれば、フラップ３Ｂにかかる負荷Ｍを４
つの支え片９で一層確実に受け止めることができる。
【図面の簡単な説明】
【００３０】
【図１】本発明の実施の一形態である電子機器梱包装置の梱包前状態を示す斜視図である。
【図２】（ａ）は同取付パッドの平面図、（ｂ）はＡ−Ａ線に沿う横断面図、（ｃ）はＢ−Ｂ線に沿う縦断面図である。
【図３】同取付パッドの展開図である。
【図４】同梱包状態の横断面図である。
【図５】同梱包状態の縦断面図である。
【図６】同梱包による支持状態を示す要部の拡大横断面図である。
【図７】同取付パッドの変形例を示す斜視図である。
【図８】従来例の梱包前状態を示す斜視図である。
【図９】同梱包途中状態を示す斜視図である。
【図１０】同梱包状態の横断面図である。
【図１１】同梱包状態の縦断面図である。
【図１２】（ａ）及び（ｂ）は同梱包による支持状態を示す要部の拡大横断面図である。
【符号の説明】
【００３１】
１                電子機器
２                取付パッド
２Ａ              取付パッドの上板
２Ｂ              取付パッドの下板
２Ｃ，２Ｄ，２Ｅ  取付パッドの側板
３                梱包箱
３Ｂ              梱包箱のフラップ
４Ａ〜４Ｄ        支持板
４ａ              支持板の先端部
５Ａ〜５Ｄ        嵌入孔
６                凹部
９                支え片
１１              舌片
ｈ１              凹部の深さ
ｈ２              電子機器の高さ
ｈ４              支え片の先端から凹部の底面までの間隔
【図１】
2009120206.tif 000003
【図２】
2009120206.tif 000004
【図３】
2009120206.tif 000005
【図４】
2009120206.tif 000006
【図５】
2009120206.tif 000007
【図６】
2009120206.tif 000008
【図７】
2009120206.tif 000009
【図８】
2009120206.tif 000010
【図９】
2009120206.tif 000011
【図１０】
2009120206.tif 000012
【図１１】
2009120206.tif 000013
【図１２】
2009120206.tif 000014